(57)【要約】【課題】バックライト装置の画面サイズの大型化に伴う円筒状光源の軸長化に伴い、高電圧側電極と低電圧電極間で生ずる浮遊容量に基づく漏洩（リーク）電流の増加による輝度ムラの減少を図る。【解決手段】バックライト装置１の少なくとも高圧電圧供給側電極部５近傍に浮遊容量を生じない様な透孔を筐体１の底部１ｂに設ける。【選択図】        図１
2004220980.tif 000002
【特許請求の範囲】
【請求項１】
一対の電極部間に円筒状光源を配設し、該一対の電極部の少なくとも高電圧供給側の筐体の底面に透孔を穿ったことを特徴とするバックライト装置。
【請求項２】
前記透孔が前記円筒状光源を高圧駆動するインバータ回路基板の近傍であることを特徴とする請求項１記載のバックライト装置。
【請求項３】
前記透孔が前記一対の電極部間に至る区間にわたって、前記底板に穿たれていることを特徴とする請求項１又は請求項２記載のバックライト装置。
【請求項４】
前記透孔が前記円筒状光源の長手方向に沿ったスリット或は所定形状の打抜孔であることを特徴とする請求項１乃至請求項３記載のいづれか１項記載のバックライト装置。
【請求項５】
前記透孔により前記円筒状光源と前記筐体の底部間の漏洩電流を減少させる様に成したことを特徴とする請求項１乃至請求項４記載のいづれか１項記載のバックライト装置。
【請求項６】
前記透孔を前記筐体内の前記円筒状光源が発生する熱エネルギーを放出させる放熱口として機能させたことを特徴とする請求項１乃至請求項５記載のいづれか１項記載のバックライト装置。
【発明の詳細な説明】
【０００１】
【発明の属する技術分野】
本発明は液晶表示装置（ＬＣＤ）に使用されるバックライト装置に係わり、特にバックライト装置の輝度ムラを少なくしたバックライト装置の改良に関する。
【０００２】
【従来の技術】
従来から、ＬＣＤに使用されているバックライト装置はマイクロコンピュータ、テレビジョン受像機等の電子機器の表示装置として利用されている。ＬＣＤは非発光性のため、バックライト装置の様な外部照射用の光源を必要としている。
【０００３】
この様なバックライト装置としては円筒状光源に冷陰極管又は熱陰極管等の細径の蛍光管（ランプ）を用いるのが一般的であり、構造としては導光板の側面に円筒状光源を配設したエッジライト方式と、筐体内部に反射体（以下反射板と記す）及び円筒状光源を収納し、筐体開口に配設した光透過拡散板に円筒状光源からの直接光及び円筒状光源からの光を反射板で反射させた光を光透過拡散板で入射拡散させて均一な面状光を出光させる様にした直下方式が知られている。
【０００４】
上述の直下方式或はエッジライト方式はＬＣＤの要求性能に応じて選択されるが直下方式は円筒状光源の直接光を利用するためエッジライト方式に比較して光の利用効率が高く、モニタ用、テレビジョン受像機用等の高輝度を必要とする用途に適している。
【０００５】
図９（Ａ）は従来の直下方式のバックライト装置を示す平面図であり、図９（Ｂ）は図９（Ａ）のＡ−Ａ′断面矢視図、図１０（Ａ）は図９（Ａ）の底面図、図１０（Ｂ）は高圧電圧供給用のインバータ基板取付状態を示す図１０（Ａ）と同様の底面図である。
【０００６】
図９及び図１０に於いて、バックライト装置６のランプハウスとなる筐体１は上面に開口部１ａを有する断面が例えば、矩形状の箱状と成され、合成樹脂で一体成型するか、金属板或は金属板と成型樹脂を組み合わせて作製する。
【０００７】
筐体１内には高反射塗料を塗布するか、高反射フィルム材等を貼着させて反射面としての反射板２を形成する。図９（Ｂ）では、この反射板２は四辺を傾斜させた断面台形状の板材で形成されている。
【０００８】
円筒状光源３は筐体１の底面から１〜２ｍｍ程度離間した位置に保持されるように端部を高反射グレード樹脂の射出成型で得た円筒光源支持台に設けたジャックに円筒状光源のプラグを挿通して電極部５が構成されている。又、配置する円筒状光源３の本数は要求される輝度によって決定する。
【０００９】
上記した各部品を組み立て、上面に乳白色アクリル樹脂等を用いた光透過拡散板４を覆う様に配置させると共に、この光透過拡散板４上には少なくとも１枚以上の集光シート９が配置されている。円筒状光源３から放射状に発した光は直接或は筐体１内の反射板２で反射されて光透過拡散板４に到達し、光透過拡散板４で面発光に変換され、更に集光シート９によって照光面の法線方向に光を集光させることでバックライト装置６が構成され、上述の集光シート９上に液晶パネル８が載置されてＬＣＤを構成している。
【００１０】
上述の光透過拡散板４、集光シート９、液晶パネル８等は筐体１の四辺に形成したフランジ部１２に取りつけた枠部材１３や抑え部材１４を介して固定されている。この様なバックライト装置は特許文献１に開示されている。
【００１１】
また、筐体１の底部１ｂには図１０（Ａ）（Ｂ）の底面図に示すように切起片７が円筒状光源の電極部５近傍に形成され、高圧電源供給用のインバータ回路基板１０が切起片７を介して固定されている。
【００１２】
【特許文献１】
特許公開２００２−１１６７０５号公報（図１０〜図１２）
【００１３】
【発明が解決しようとする課題】
上述した、従来構成のＬＣＤ及びバックライト装置ではＬＣＤの大型化に伴って、バックライト装置の駆動電圧や駆動周波数も輝度を向上させる為に高くなり、インバータ回路基板１０の駆動電圧や駆動周波数も高電圧、高周波化されている。
【００１４】
一方、ＬＣＤの表示品位の優劣を表す重要な要素にバックライト装置６の照射面の輝度均一性がある。この輝度均一性を表す要素の１つに輝度ムラがある。輝度ムラとは照光面内の輝度分布を数値でとらえたものであり、照光面内の規定された測定ポイントにおける法線方向の最大輝度と最小輝度の比率で示される。すなわち、輝度ムラ（最低輝度／最大輝度）×１００％で定義されている。
【００１５】
図９乃至図１１では上述のインバータ回路基板１１を円筒状光源３の電極部５のうちの左側の高圧側の筐体１の底部１ｂの裏側に取り付けている。
【００１６】
この様な円筒状光源３ではＬＣＤが大型化され、例えば２９インチでは円筒状光源の長さは６４２ｍｍ程度と成り、従って、高圧側から低圧側へ行くに従って、図１１に示す様に底部１ｂと円筒状光源３の管壁間で生ずる浮遊容量１１の分布状態が変化すると共に、これらが積み重なって、１本の円筒状光源３上の高圧電極側と低圧電極側では輝度差（輝度ムラ）が発生して、曲線１５に示す様に円筒状光源３の長手方向で輝度の明暗を生ずる課題を有していた。
【００１７】
図１２（Ａ）のパターン１６は筐体１の開口部１ａ上に載置した光透過拡散板４上での輝度分布特性図を示すものでＸ軸方向は図９（Ａ）に示す筐体１の長辺方向（円筒状光源３の管軸方向）をＹ軸方向は筐体１の短辺方向（複数の円筒状光源３の並設方向）を示すものであり、図１２（Ｂ）は規格で定められた管ムラ測定ポイント▲１▼〜▲９▼の測定位置を示すものである。
【００１８】
本例では２９インチ（Ａ＝６８４ｍｍ×４２０ｍｍ）で３φ、長さ６４２ｍｍの円筒状光源をＹ軸方向に等間隔で１６本並設し、円筒状光源３の入力電圧は１４Ｖ、入力電流は４．４２Ａ、消費電力は６１．９Ｗで測定した場合で平均輝度ムラは１．１６％である。
【００１９】
また、円筒状光源３の高圧側の電極部５の管電流は４．２ｍＡ、低圧側の電極部５の管電流は３．７ｍＡであり、高低圧電極部５間の漏洩（リーク）電流は０．５ｍＡに達している。
【００２０】
更に、図１２（Ａ）のＸ軸方向での輝度ムラＢｒｄ＝最小（ＭＩＮ）輝度／最大（ＭＡＸ）輝度×１００％は８６．２％であり、輝度ムラの発生が避けられない課題を有していた。
【００２１】
本発明は叙上の課題を解消するために成されたもので、発明が解決しようとする課題はバックライト装置が大型化され、円筒状光源の管軸方向の長さが長くなり、駆動周波数の高周波数化及び駆動電圧の高電圧化に伴うインバータ回路基板１０が高圧電極部側に配設されていても、円筒状光源の管壁と筐体の底部間の分布浮遊容量の均一化或は減少化を図る様に底部に透孔を穿つことで、少なくとも電極部側の漏洩電流を減少させたので輝度ムラを減少可能なバックライト装置を提供することが出来る。
【００２２】
【課題を解決するための手段】
本発明のバックライト装置は一対の電極部間に円筒状光源を配設し、一対の電極部の少なくとも高電圧供給側の管体の底面に透孔を穿ったものである。
【００２３】
本発明のバックライト装置の筐体の底面に設けた透孔は、円筒状光源を高圧駆動するインバータ回路基板近傍に穿ったものである。
【００２４】
本発明バックライト装置の筐体の底部に設けた透孔は、一対の電極部間に至る区間にわたって、穿ったものである。
【００２５】
本発明のバックライト装置の筐体の底部に設けた透孔は、円筒状光源の長手方向に沿ったスリット或は所定形状の打抜孔と成したものである。
【００２６】
本発明のバックライト装置に穿った透孔は、円筒状光源と筐体の底部間の漏洩電流を減少させる様に成したものである。
【００２７】
本発明のバックライト装置に穿った透孔は筐体内の円筒状光源が発生する熱エネルギーを放散する放熱口として機能させたものである。
【００２８】
斯かる、本発明のバックライト装置に依れば、円筒状光源の管壁と筐体の底部間に分布する浮遊容量を除去或は減少させることが出来るため円筒状光源の高圧電極部側と低圧電極部側間の漏洩電流差を少なくすることが出来て、輝度ムラを均一に保つことが可能なものが得られる。
【００２９】
【発明の実施の形態】
以下、本発明の１形態例を示すバックライト装置の構成を図１乃至図６によって説明する。尚、図９及び図１０の従来構成との対応部分には同一符号を付して説明する。
【００３０】
図１（Ａ）（Ｂ）は本発明のバックライト装置の筐体の底面図及び光透過拡散板を開口部から除去した筐体の平面図を示すものであり、図２は図９（Ｂ）の従来例で示した側断面図のＢ部と同様の図１（Ｂ）のＢ−Ｂ′断面矢視図である。
【００３１】
図１（Ａ）（Ｂ）及び図２に示す本発明のバックライト装置６の筐体１は平面形状が長方形の筐体（厚みｔ＝２ｍｍのステンレス）であり、筐体１の内部には、複数本の円筒状光源（例えば、冷陰極管）３が、互に平行に配されている。筐体１の内面は図２に示す様に白色の反射面と成る反射板２が形成され、その四辺は反射効率を高めるため傾斜させ、断面略台形となる様に成されている。
【００３２】
更に、筐体１の図１（Ｂ）の様に内面に並設される複数の円筒状光源３の高圧側の電極部５（図２参照）側のインバータ回路基板１０が筐体１の底部１ｂの裏面に固定される近傍に、複数の透孔１７が穿たれている。
【００３３】
図１（Ａ）及び図１（Ｂ）の筐体１ではインバータ回路基板１０が底部１ｂの左側裏面に固定されるが、この固定方法は底部１ｂの裏面にインバータ回路基板を直接固定しても、所定のスペーサを介して底部１ｂの裏面に固定する様に成してもよい。
【００３４】
このインバータ回路基板１０は底部１ｂと一体的に形成された切起片７で保持される。又、底部１ｂに穿たれる透孔１７は筐体１内に並設する円筒状光源３の管軸方向に沿った真下に、スリット状で且つ、円筒状光源３の管経より大きい幅と成されている。図１（Ａ）（Ｂ）ではインバータ回路基板１０の取付位置の真下とその近傍の底部１ｂに透孔１７を穿っている。
【００３５】
更に、本発明のバックライト装置は図２に示す様に筐体１の開口部１ａを覆う様に、例えば、乳白色アクリル樹脂からなる長方形状の光透過拡散板４及び集光シート９を配設すると共に、集光シート９上に液晶パネル８を枠部材１３や抑え部材１４を介して固定する様に成されている。
【００３６】
上述のバックライト装置６では筐体１の底部１ｂに穿つ透孔１７を円筒状光源３の管軸方向に沿ったスリット状の形状としたが、図３（Ａ）（Ｂ）に示す様に、インバータ回路基板１０の取付位置の真下或はその近傍の高電圧供給側の電極部５近傍に略矩形状の透孔１７を穿つ様にしてもよい。勿論、この透孔１７の形状は矩形に限定されるものでなく、正方形、円形、楕円形、八角形等の多角形等でよい。
【００３７】
図４（Ａ）（Ｂ）及び図５（Ａ）（Ｂ）に示すものは本発明のバックライト装置の他の構成を示すもので図１及び図３で示した様に円筒状光源３の高電圧供給側の電極部（図５、４の平面図の左側）５に設けたインバータ回路基板１０の真下及びその近傍にだけ透孔を穿つのではなく円筒状光源３の低電圧供給側の電極部（図５、４の平面図の右側）５に至る範囲に亘って透孔１７を穿ったものである。
【００３８】
図４（Ａ）（Ｂ）の場合は、インバータ回路基板１０の下及び円筒状光源３の管軸方向に沿う真下に高電圧供給用の電極部５から低圧電圧供給用の電極部５に亘って管径より大きい幅のスリット状の複数の透孔１７を並設する様に穿設したものである。
【００３９】
図５（Ａ）（Ｂ）に示すものは透孔１７の形状を図３と同様に矩形状と成したものを高圧側及び低圧側の電極部５間に亘って、複数本の円筒状光源３の真下の底部１ｂが金属等で構成されない様な透孔１７を形成したものである。勿論この透孔１７の形状は適宜形状を選択可能である。
【００４０】
図６（Ａ）（Ｂ）に示す、本発明のバックライト装置６は更に他の構成を示すものである。図６の構成ではＬＣＤが更に大型化され、例えば４０インチの場合、筐体１の長辺方向は図６（Ａ）に示すＬ１  ＝９００ｍｍ、短辺方向の長さＬ２  ＝５７０ｍｍ、高さ２ｃｍと成るため、例えば直径３φで長さが９００ｍｍ以上の円筒状光源３を得ることが困難と成るため、筐体１の短辺方向に平行に複数の円筒状光源３を配設している。
【００４１】
従って、図６（Ａ）（Ｂ）に示すバックライト装置６では図６（Ａ）の平面図で示す手前側に高電圧供給用の電極部５が設けられているとすると、インバータ回路基板１０は一点鎖線で示す様に手前側の筐体１の底部１ｂ裏面に固定される。
【００４２】
底部１ｂに穿つ透孔１７はインバータ回路基板１７の下側及び円筒状光源３の管軸方向に沿って筐体１の短辺方向に並設したスリット状の打抜き部と成した場合である。勿論、筐体１の底部１ｂに穿つ透孔の大きさ及びその数は筐体１が最低限強度を保つ様に選択される。
尚、図６（Ｂ）は図６（Ａ）のＣ−Ｃ′側断面図である。
【００４３】
上述の図１乃至図６で詳記したバックライト装置６のうち図１及び図２に示す筐体１の様に底部１ｂに透孔１７を穿ち、画面サイズとして２９インチを使用し、円筒状光源３を１６本、並設した反射板２から円筒状光源３までの高さを２ｍｍとし、図１２（Ｂ）で説明したと同様の条件で測定点▲１▼〜▲９▼での輝度は図８（Ｂ）に示す如き値をとった。この時の円筒光源３の入力電圧は１４Ｖ、入力電流は４．４Ａ、消費電力６１．６Ｗでの平均輝度ムラは１．１３％の値を示している。
【００４４】
また、円筒状光源３の高圧側の電極部５の管電流は４．２ｍＡ、低圧側の電極部５の管電流は４．０ｍＡであり、本発明の高低圧電極部５間の漏洩（リーク）電流は０．２ｍＡでリーク電流は従来に比べて０．３ｍＡ減少している。
【００４５】
又、図８（Ａ）のＸ軸方向での輝度ムラＢｒｄ＝（最小（ＭＩＮ輝度／最大（ＭＡＸ）輝度×１００％の値は９２．７％で従来に比べて６．５％の改善が成されている。
【００４６】
又、図８（Ａ）の輝度分布特性曲線図のパターン１６及び図９の輝度特性曲線１９から解る様に従来の様に高電圧供給側の電極部５近傍に偏って明るくなる弊害が除かれ図７の様に輝度は照光面で略均一になさせることが可能となる。これらは図８（Ａ）の輝度分布特性曲線図のパターン１６からも明らかである。
【００４７】
【発明の効果】
本発明に依ればバックライト装置が大型化され、円筒状光源の管軸方向の長さが長くなり、駆動周波数の高周波数化及び駆動電圧の高電圧化に伴うインバータ回路基板１０が筐体１の所定位置に配設されていていも、円筒状光源の管壁と筐体の底部間の分布浮遊容量の均一化或は減少化を図る様に底部に透孔を穿つことで少なくとも高電圧側の電極部側の漏洩電流を減少させたので輝度ムラを０．３％を減少可能なバックライト装置を提供することが出来る。
【図面の簡単な説明】
【図１】本発明のバックライト装置の底面図及び平面図である。
【図２】本発明の要部を示す側断面図である。
【図３】本発明の他のバックライト装置の底面図及び平面図である。
【図４】本発明の更に他のバックライト装置の底面図及び平面図である。
【図５】本発明の更に他のバックライト装置の底面図及び平面図である。
【図６】本発明の他の構成を示すバックライト装置の平面図及び側断面図である。
【図７】本発明の浮遊容量と輝度との関係を示す説明図である。
【図８】本発明の輝度分布特性曲線図及び輝度測定方法説明図である。
【図９】従来のバックライト装置の平面図及び側断面図である。
【図１０】従来のバックライト装置の底面図及びインバータ回路基板取付状態図である。
【図１１】従来の浮遊容量と輝度との関係を示す説明図である。
【図１２】従来の輝度分布特性曲線図及び輝度測定方法説明図である。
【符号の説明】
１‥‥筐体、１ａ‥‥開口部、１ｂ‥‥底部、３‥‥円筒状光源（ランプ）、４‥‥光透過拡散板、５‥‥電極部、１０‥‥インバータ回路基板、１７‥‥透孔
【図１】
2004220980.tif 000003
【図２】
2004220980.tif 000004
【図３】
2004220980.tif 000005
【図４】
2004220980.tif 000006
【図５】
2004220980.tif 000007
【図６】
2004220980.tif 000008
【図７】
2004220980.tif 000009
【図８】
2004220980.tif 000010
【図９】
2004220980.tif 000011
【図１０】
2004220980.tif 000012
【図１１】
2004220980.tif 000013
【図１２】
2004220980.tif 000014
【手続補正書】
【提出日】平成15年4月22日(2003.4.22)
【手続補正１】
【補正対象書類名】明細書
【補正対象項目名】００１８
【補正方法】変更
【補正の内容】
【００１８】
本例では２９インチ（Ａ＝６８４ｍｍ×４２０ｍｍ）で３φ、長さ６４２ｍｍの円筒状光源をＹ軸方向に等間隔で１６本並設し、円筒状光源３の入力電圧は１４Ｖ、入力電流は６．７Ａ、消費電力は９３．８Ｗで測定した場合で平均輝度ムラは１．１６％である。


【手続補正２】
【補正対象書類名】明細書
【補正対象項目名】００４３
【補正方法】変更
【補正の内容】
【００４３】
上述の図１乃至図６で詳記したバックライト装置６のうち図１及び図２に示す筐体１の様に底部１ｂに透孔１７を穿ち、画面サイズとして２９インチを使用し、円筒状光源３を１６本、並設した反射板２から円筒状光源３までの高さを２ｍｍとし、図１２（Ｂ）で説明したと同様の条件で測定点▲１▼〜▲９▼での輝度は図８（Ｂ）に示す如き値をとった。この時の円筒光源３の入力電圧は１４Ｖ、入力電流は６．７Ａ、消費電力９３．８Ｗでの平均輝度ムラは１．０８％の値を示している。


【手続補正３】
【補正対象書類名】図面
【補正対象項目名】図８
【補正方法】変更
【補正の内容】
【図８】
2004220980.tif 000015